(57)【要約】【課題】紙幣識別装置の紙幣挿入口にモード設定媒体を挿入した状態で外部からの送受信で必要なモード設定を行なうことができる紙幣識別装置のモード設定媒体を提供する。【解決手段】紙幣識別装置１の紙幣挿入口７に挿入可能な形状を有する設定媒体挿入部１７とモード設定情報の送受信を行う設定媒体操作部１８とを有し、設定媒体挿入部１７の少なくとも一部が、紙幣挿入口７の上下長さと略同様の長さを有し、且つ設定媒体挿入部１７が紙幣識別装置の搬送ベルト１１とテンションローラ１２に挟持されない形状とされ、設定媒体操作部において設定したモード設定情報を設定媒体挿入部の発光センサと受光センサとを介して紙幣識別装置の発光センサと受光センサとに送受信することにより、紙幣識別装置のモード設定を行う。【選択図】図３
2009059289.tif 000002
【特許請求の範囲】
【請求項１】
紙幣識別装置に設けられた紙幣挿入口に挿入可能な形状を有する設定媒体挿入部と該設定媒体挿入部にモード設定情報の送受信を行う設定媒体操作部とを有し、
前記設定媒体挿入部の少なくとも一部が、前記紙幣挿入口の上下長さと略同様の長さを有し、且つ設定媒体挿入部が紙幣識別装置の搬送ベルトとテンションローラに挟持されない形状とされ、
該設定媒体挿入部には、紙幣識別装置に設けた入口センサをなす発光センサと受光センサとに対応する発光センサと受光センサとが設けられると共に、紙幣識別装置に設けた識別センサをなす発光センサと受光センサとに対応する発光センサと受光センサとが設けられ、
設定媒体操作部において設定したモード設定情報を設定媒体挿入部の発光センサと受光センサとを介して紙幣識別装置の発光センサと受光センサとに送受信することにより、
紙幣識別装置のモード設定を行うようにしたことを特徴とする紙幣識別装置のモード設定媒体。
【発明の詳細な説明】
【技術分野】
【０００１】
本発明は、紙幣の真偽判定を行う紙幣識別装置に係り、紙幣識別装置の紙幣挿入口にモード設定媒体を挿入することによって紙幣識別装置のモード設定を行うようにした紙幣識別装置のモード設定媒体に関する。
【背景技術】
【０００２】
従来から、自動販売機、自動両替機、ゲーム機等には、使用される紙幣の金種を判別し、また紙幣の真偽判定を行うための紙幣識別装置が設けられている。その紙幣識別装置の構成は、一般的に、紙幣挿入口と、紙幣の挿入を検出する入口センサと、挿入された紙幣を搬送通路に沿って搬送する搬送装置と、搬送通路に面して設けられた鑑別センサと、入口センサ及び鑑別センサに接続されると共に搬送装置のモータを制御する制御回路とを備えてなるものである。
【０００３】
ところで、上記の紙幣識別装置は、受入金種（新旧紙幣、受入可能金種）及び真偽紙幣の判定等、種々の判定条件に対応する必要があるため、その条件に応じてモード設定を変更する必要が生じる。
【０００４】
ここで、従来のモード設定の変更手段について特許文献１を参照すると、この文献に記載された紙葉類識別装置は、搬送装置を制御する判定制御回路を単一のディップスイッチにより紙葉選択モードに切り換える過程を有し、判定制御回路によって紙葉の種類を決定し、その紙葉の種類を種類記憶手段に記憶した後、単一のディップスイッチにより判定制御回路を識別モードに切り換え、入口に挿入される紙葉の光学的特徴又は磁気的特徴を紙葉センサにより検出して、ＲＯＭに記憶した紙葉の種類と同一種類であるか否かを決定し、ＲＯＭに記憶した紙葉の種類と同一種類でかつ紙葉選択モードであるとき、その紙葉を受け取り又は返却するものである。
【０００５】
ところで、上記の構成によると、紙幣鑑別装置が拒否すべき紙幣の種類を決定するとき、取扱う紙幣毎に同数のディップスイッチをパネルに設置する必要があるため、部品数が増加して小型化に不利となるばかりでなく、設定のために装置の電源を一旦切断して装置のカバーを開ける必要があり、手間を要するうえ、装置のダウンタイムが長くなるという問題があった。
【０００６】
また、特許文献２に記載されたモード設定媒体は、少なくとも紙幣識別装置の挿入口に挿入可能なサイズ及び厚さを有する基材と、少なくともモード設定媒体であることを認証する媒体認証情報と紙幣識別装置のモードを設定するモード設定情報とが記録されている情報記録部とを備え、紙幣挿入口に挿入された媒体を識別する識別センサと、各種情報を記憶する記憶手段と、識別及び搬送制御を行なう制御手段とを備えるものである。
【０００７】
ところが、上記の構成においては、紙幣挿入口に挿入された媒体がモード設定媒体であると判定した場合、予めモード設定媒体に記録されているモード設定情報を記憶手段に記憶すると共に、記憶手段に記憶されたモード設定情報に基づいて紙幣識別装置を制御するようにしているため、変更の内容に該当するモード設定媒体を複数用意するか、記憶されている内容を書き換えてから紙幣識別装置の設定変更を行うという面倒な手間を要することとなる。
【特許文献１】特開平１１−３３９０８８号公報
【特許文献２】特開２００６−２７７１３６号公報
【発明の開示】
【発明が解決しようとする課題】
【０００８】
本発明は、上記の問題点を解消するためになされたもので、紙幣識別装置のモード設定に際し、紙幣識別装置の紙幣挿入口に挿入したモード設定媒体を差し替える必要がなく、また設定のために紙幣識別装置の電源を一旦切断したり、紙幣識別装置のカバーを開ける必要がなく、紙幣識別装置の紙幣挿入口にモード設定媒体を挿入した状態で外部からの送受信で必要なモード設定を行なうことができる紙幣識別装置のモード設定媒体を提供することを目的とする。
【課題を解決するための手段】
【０００９】
上記の目的を達成するために、本発明の請求項１に係る紙幣搬送装置のモード設定媒体は、紙幣識別装置に設けられた紙幣挿入口に挿入可能な形状を有する設定媒体挿入部と該設定媒体挿入部にモード設定情報の送受信を行う設定媒体操作部とを有し、前記設定媒体挿入部の少なくとも一部が、前記紙幣挿入口の上下長さと略同様の長さを有し、且つ設定媒体挿入部が紙幣識別装置の搬送ベルトとテンションローラに挟持されない形状とされ、該設定媒体挿入部には、紙幣識別装置に設けた入口センサをなす発光センサと受光センサとに対応する発光センサと受光センサとが設けられると共に、紙幣識別装置に設けた識別センサをなす発光センサと受光センサとに対応する発光センサと受光センサとが設けられ、設定媒体操作部において設定したモード設定情報を設定媒体挿入部の発光センサと受光センサとを介して紙幣識別装置の発光センサと受光センサとに送受信することにより、紙幣識別装置のモード設定を行うようにしたことを特徴とする。
【発明の効果】
【００１０】
本発明の紙幣識別装置のモード設定媒体によれば、設定媒体操作部において設定したモード設定情報を設定媒体挿入部の発光センサと受光センサとを介して紙幣識別装置の発光センサと受光センサとに送受信することにより、紙幣識別装置のモード設定を行うことができるため、従来のように、紙幣識別装置及び紙幣識別装置を備えた機器類の電源ＯＦＦや機器類を覆うカバー等を外さず設定変更の作業を行うことが可能となる。
【００１１】
また、紙幣識別装置に備えられた機器類の用途に合わせて、金種設定、新旧札の設定変更、プログラム、データテーブル（紙幣の真偽判定のためのデータ）等の設定変更を単一のモード設定媒体のみで行うことが可能であり、設定すべき内容を予め記憶させてある記憶媒体を複数用意する必要がない。
【００１２】
さらに、紙幣識別装置に設けられている紙幣の真偽を判定する既存のセンサとの通信にて設定変更が可能であるため、従来のように、紙幣識別装置に別途設定変更のためのスイッチ類（ディップスイッチ等）を設ける必要がない。
【発明を実施するための最良の形態】
【００１３】
以下、本発明の実施例について図面を参照しながら説明する。
【実施例１】
【００１４】
本実施例に係る紙幣識別装置１は、例えば、図１に示すように、遊技島に並設された複数の遊技台２、２の台間に設けられてなる遊技媒体貸出機３のフレーム４内の上部に設けられ、フレーム４の前面に取付けられた化粧パネル５には上部に紙幣入口６が設けられ、該紙幣入口６から挿入された紙幣は、フレーム４内の上方内部に取り付けられた紙幣識別装置１の紙幣挿入口７（図２参照）から挿入される。
【００１５】
上記の紙幣識別装置１は、図２に示すように、紙幣識別装置１の本体をなすメインベース８が縦状に設けられ、メインベース８の側面に形成された紙幣搬送路９に端部を回動自在に支承したサブベース１０が開閉自在に設けられ、サブベース１０を閉じた状態のメインベース８とサブベース１０との間に紙幣Ｓを横長縦状に挿入させる挿入口７が形成されている。
【００１６】
図３は、紙幣識別装置１のサブベース１０を開いた状態を示す平面図である。メインベース８には上下に離間して不図示のモータによって駆動される搬送ベルト１１、１１が紙幣の送り方向（左横方向）に設けられている。また、各搬送ベルト１１、１１に対応して、サブベース１０の四方にはテンションローラ１２、１２…が設けられている。このような構成により、サブベース１０を閉じた状態にすると、メインベース８側の上下の搬送ベルト１１、１１と各テンションローラ１２、１２…とが圧接され、図２に示すようにサブベース１０を閉じた状態の挿入口７から挿入した紙幣Ｓを、図３に示す上下の搬送ベルト１１、１１と各テンションローラ１２、１２…とで挟持した状態にして移送することとなる。
【００１７】
また、図３に示すように、紙幣搬送路９の挿入口７側の上部には入口センサ１３が設けられている。この入口センサ１３は、紙幣識別装置１の紙幣挿入口７から挿入された物を最初に検知するため、紙幣挿入口７の入口付近に設ける必要があり、搬送ベルト１１の入口側寄りに設けられている。一方、紙幣搬送路９の上下の搬送ベルト１１、１１の間には識別センサ１４が設けられている。この識別センサ１４は、発光センサと受光センサとの間に介在した紙幣に対する透過光を採取するため、外部からの光の影響を受け難い位置として、紙幣識別装置１の略中央位置に配置されている。本実施例において、これらの入口センサ１３、識別センサ１４としては、紙幣の明暗パターン又は透過光パターンを形成する光学的特徴を検出する光学センサ又は紙幣に印刷されたインキの成分によって磁気パターンを形成する磁気的特徴を検出する磁気センサ等を使用することが可能である。
【００１８】
より具体的には、メインベース８側に設けられた入口センサ１３は発光センサ１３ａと受光センサ１３ｂとを備える一方、これらのセンサに対応してサブベース１０側にはプリズム１３ｃが設けられ、発光センサ１３ａから発せられた光がプリズム１３ｃで反射され、受光センサ１３ｂで受光される構成とされている。
【００１９】
さらに、識別センサ１４は、サブベース１０側に設けられた一対の発光センサ１４ａ、１４ａとメインベース８側に設けられた一対の受光センサ１４ｂ、１４ｂとからなり、サブベース１０側の発光センサ１４ａ、１４ａから発せられた光がメインベース８側の受光センサ１４ｂ、１４ｂによって受光される構成とされている。
【００２０】
図６は本実施例に係る紙幣識別装置１の構成をブロック図で示したものである。このブロック図に基づいて本実施例の紙幣識別装置１の構成について説明すると、図２に示す紙幣挿入口７に媒体（紙幣又は後述するモード設定媒体１５の設定媒体挿入部１７等）が挿入されたことを検知する入口センサ１３（上記の発光センサ１３ａと受光センサ１３ｂからなる）と、紙幣挿入口７に挿入された媒体を紙幣搬送路９に沿って搬送する搬送駆動手段（上記の搬送ベルト１１、１１とテンションローラ１２、１２…からなる）と、紙幣搬送路９に設けられ紙幣挿入口７に挿入された媒体を識別する識別センサ１４（上記の発光センサ１４ａと受光センサ１４ｂからなる）と、各種情報（本発明では後述するモード設定媒体１５の設定媒体操作部１８から発信されたモード設定情報）を記憶する不揮発性メモリ（記憶手段）２２と、識別及び搬送制御を行なう制御回路１６とを備えて構成されている。
【００２１】
次に、上記のように構成された紙幣識別装置１の一般的な動作について説明する。図２、図３又は図６において、紙幣挿入口７から紙幣Ｓが挿入されると、入口センサ１３は紙幣Ｓの挿入を検出して制御回路１６に検出信号を送出する。これにより、制御回路１６は不図示のモータを駆動して搬送ベルト１１、１１を駆動し、紙幣Ｓを紙幣搬送路９に沿って紙幣識別装置１の内部に取り込む。そのとき紙幣Ｓが紙幣搬送路９を通過する際に、識別センサ１４は紙幣Ｓの光学的特徴等を検出して、検出信号を制御回路１６に送出する。制御回路１６はそれらの検出信号に基づいて紙幣挿入口７に投入された紙幣Ｓの真偽を判定する。また、制御回路１６は投入された紙幣Ｓを真正紙幣と判断したときに、紙幣Ｓを順方向へ移送するが、真正紙幣と判断できないときには、搬送ベルト１１、１１を逆転して紙幣Ｓを紙幣挿入口７に返却する。
【００２２】
図４（ａ）は本発明に係るモード設定媒体１５を示す平面図である。このモード設定媒体１５は、紙幣識別装置１に設けられた紙幣挿入口７（図３参照）に挿入可能な形状を有する設定媒体挿入部１７と該設定媒体挿入部１７に送受信を行う設定媒体操作部１８とを有する。
【００２３】
また、図３に示すように、モード設定媒体１５の設定媒体挿入部１７は、該設定媒体挿入部１７の少なくとも一部が紙幣挿入口７の上下長さと略同様の長さを有し、且つ設定媒体挿入部１７が紙幣識別装置１の搬送ベルト１１、１１とテンションローラ１２、１２…に挟持されない形状とされている。本実施例において、設定媒体挿入部１７は後述するようにT字形を有する形状とされているため、紙幣媒体挿入部１７の上下の最大長さを有する入口部１７ａの上下長さが紙幣挿入口７の上下長さと略同様の長さを有することとなる。
【００２４】
なお、設定媒体挿入部１７の少なくとも一部（本実施例においては紙幣媒体挿入部１７の入口部１７ａ）が紙幣挿入口７の上下長さと略同様の長さを有することに関しては、設定媒体挿入部１７を紙幣挿入口７から挿入したとき、該設定媒体挿入部１７にブレが生じることなく搬送され、後述するように紙幣識別装置１側に設けられた入口センサ１３（発光センサ１３ａ、受光センサ１３ｂ）と識別センサ１４（発光センサ１４ａ、受光センサ１４ｂ）に対応する設定媒体挿入部１７側の発光センサ１９ａ、２０ａ及び受光センサ１９ｂ、２０ｂとの相対位置で送受信が確実に行える長さである。
【００２５】
さらに、設定媒体挿入部１７を紙幣識別装置１の挿入口７に挿入したとき、設定媒体挿入部１７が搬送ベルト１１、１１とテンションローラ１２、１２…とに挟持されない形状とするため、設定媒体挿入部１７を搬送ベルト１１、１１に接触しない外形にする必要がある。そのため、モード設定媒体１５の設定媒体挿入部１７の外形は、搬送ベルト１１、１１の構成に左右されることになるが、本実施例のように、メインベース８の上下に搬送ベルト１１、１１が設けられている場合、図３又は図４（ａ）に示すように、設定媒体挿入部１７を紙幣搬送路９内に収まる矩形の入口部１７ａと上下の搬送ベルト１１、１１の間に収まる矩形の延長部１７ｂとの結合によるＴ字形のような外形とするのが好ましい。このような形状の設定媒体挿入部１７を紙幣識別装置１の挿入口７に挿入すると、図３に示すように、上下の搬送ベルト１１、１１に接触しない状態で収納することができる。
【００２６】
なお、図５に示すように、紙幣識別装置１のメインベース８における上下の中央に搬送ベルト１１が設けられている場合、設定媒体挿入部１７の外形として、搬送ベルト１１を避けたコ字形をなすような形状とするのが好ましい。このような形状を有する設定媒体挿入部１７においては、設定媒体挿入部１７の上下長さが一定であるため、設定媒体挿入部１７の上下長さが紙幣挿入口７の上下長さと略同様の長さを有するものとされている。また、紙幣識別装置１側に設けられた入口センサ１３及び識別センサ１４に応じて、図４（ａ）(ｂ)に示すように発光センサ１９ａ、２０ａと受光センサ１９ｂ、２０ｂとが設けられた構成にするとよい。
【００２７】
さらに、モード設定媒体１５の設定媒体挿入部１７を図３に示すように紙幣識別装置１の挿入口７に挿入した状態において、設定媒体挿入部１７には紙幣識別装置１の各種センサに対応する位置に、発光センサ１９ａ、２０ａ又は受光センサ１９ｂ、２０ｂが設けられている。即ち、モード設定媒体１５の設定媒体挿入部１７には、紙幣識別装置１における入口センサ１３の発光センサ１３ａに対応して受光センサ１９ｂが設けられると共に、入口センサ１３の受光センサ１３ｂに対応して発光センサ１９ａが設けられている。また、設定媒体挿入部１７の上面には紙幣識別装置１のメインベース８側の発光センサ１４ａに対応して受光センサ２０ｂが設けられ、また設定媒体挿入部１７の下面には紙幣識別装置１のサブベース１０側の受光センサ１４ｂに対応して発光センサ２０ａが設けられている（図４(ｂ)参照）。
【００２８】
さらに、設定媒体挿入部１７に設けられた各種センサ１９ａ、１９ｂ、２０ａ、２０ｂには通信ケーブル２１を介して設定媒体操作部１８が接続されている。この設定媒体操作部１８は、紙幣識別装置１に対して紙幣Ｓの金種を判別したり、紙幣Ｓの真偽判定等を行うためのモード設定を行うものであり、図４（ａ）に示すように、設定媒体操作部１８には表示部１８ａと上下選択方向の選択ボタン１８ｂ、１８ｂと決定ボタン１８ｃとキャンセルボタン１８ｄとが設けられ、表示部１８ａに表示されるモード設定の内容を選択ボタン１８ｂ、１８ｂによって変更し、表示部１８ａの表示がモード設定の変更内容となったとき決定ボタン１８ｃを押し、モード設定の内容を削除するときはキャンセルボタン１８ｄを押すことによって、所定のモード設定に変更することができる。
【００２９】
また、上記の構成において、紙幣識別装置１の紙幣挿入口７にモード設定媒体１５の設定媒体挿入部１７が挿入されたとき、紙幣識別装置１に設定媒体挿入部１７が挿入されたことを感知する入口センサ１３によって紙幣識別装置１が設定変更モードに移行する構成とすることにより、紙幣識別装置１の紙幣挿入口７に設定媒体挿入部１７を挿入するだけで紙幣識別装置１が設定変更モードに移行することが可能となる。
【００３０】
上記の構成において、本発明によるモード設定媒体１５の動作について、図７に示すフローチャートを参照しながら説明する。図２に示すようにサブベース１０をメインベース８の紙幣搬送路９側に閉じた状態にして、挿入口７から媒体を挿入する（Ｓ1）と、入口センサ１３（図３参照）によって、その媒体がモード設定媒体１５の設定媒体挿入部１７か否かが判定され（Ｓ２）、設定媒体挿入部１７と判定されないときは、紙幣の受入処理に移行する（Ｓ２１）。この紙幣の受入処理は、上記のように紙幣の真偽等を行い、紙幣を真正紙幣と判断したときは紙幣を順方向へ移送するが、真正紙幣と判断できないときには、紙幣を逆送して紙幣挿入口７（図２、図３参照）に返却するものである。
【００３１】
また、上記の媒体がモード設定媒体１５の設定媒体挿入部１７であると判定されたときは、設定媒体操作部１８からの設定情報を送信し（Ｓ３）、通信コマンドに応じた処理を実行した後（Ｓ４）、モード設定媒体１５の設定媒体挿入部１７の引抜を行うこととなる（Ｓ５）。
【産業上の利用可能性】
【００３２】
本発明の紙幣搬送装置は、紙幣識別装置のモード設定に際し、紙幣識別装置の紙幣挿入口に挿入したモード設定媒体を差し替える必要がなく、また設定のために紙幣識別装置の電源を一旦切断したり、紙幣識別装置のカバーを開ける必要がなく、紙幣識別装置の紙幣挿入口にモード設定媒体を挿入した状態で外部からの送受信で必要なモード設定を行なうことができる紙幣識別装置のモード設定媒体として利用することが可能である。
【図面の簡単な説明】
【００３３】
【図１】本発明の実施例に係る紙幣識別装置を設けた複数の遊技台を示す斜視図である。
【図２】本発明の実施例に係る紙幣識別装置の外観斜視図である。
【図３】本発明の実施例に係る紙幣識別装置のサブベースを開けた状態を示す平面図である。
【図４】（ａ）は本発明の実施例に係る紙幣識別装置のモード設定媒体の平面図であり、(ｂ)は図４（ａ）のＡ−Ａ線断面図である。
【図５】本発明の紙幣識別装置のモード設定媒体に係る他の形状の設定媒体挿入部（２点鎖線で示す）を挿入した状況を示す平面図である。
【図６】本発明の実施例に係る紙幣識別装置の構成を示すブロック図である。
【図７】本発明の実施例に係るモード設定媒体の動作に関するフローチャートである。
【符号の説明】
【００３４】
１  紙幣識別装置
２  遊技台
３  遊技媒体貸出機
４  フレーム
５  化粧パネル
６  紙幣入口
７  紙幣挿入口
８  メインベース
９  紙幣搬送路
１０  サブベース
１１  搬送ベルト
１２  テンションローラ
１３  入口センサ
１３ａ  発光センサ
１３ｂ  受光センサ
１３ｃ  プリズム
１４  識別センサ
１４ａ  発光センサ
１４ｂ  受光センサ
１５  モード設定媒体
１６  制御回路
１７  設定媒体挿入部
１７ａ  入口部
１７ｂ  延長部
１８  設定媒体操作部
１８ａ  表示部
１８ｂ  選択ボタン
１８ｃ  決定ボタン
１８ｄ  キャンセルボタン
１９ａ  発光センサ
１９ｄ  受光センサ
２０ａ  発光センサ
２０ｂ  受光センサ
２１  通信ケーブル
２２  不揮発性メモリ
Ｓ  紙幣
【図１】
2009059289.tif 000003
【図２】
2009059289.tif 000004
【図３】
2009059289.tif 000005
【図４】
2009059289.tif 000006
【図５】
2009059289.tif 000007
【図６】
2009059289.tif 000008
【図７】
2009059289.tif 000009